(57)【要約】  物質移動又は熱交換カラムで使用するための接触トレーであって、液体が入口領域からトレーデッキ上の出口に流れるときに、トレーデッキトレーの上面上を流れる液体にその流れ方向を変えさせ、その流路幅を狭くし、流路の長さを延長させる複数のバッフル壁を有する、接触トレー。流路を狭めることにより、デッキの任意の部分における液体の体積流量が増加し、低液体流量での液体の気相同伴の機会が低減される。ダウンカマーは、出口から下向きに延在して、出口に入るときに液体を受容し、次いで、ダウンカマーの下端に位置する排出口へと下向きに液体を搬送する。ダウンカマーは、排出口を、トレーデッキ上の入口領域の下に、かつトレーデッキ上の入口領域と垂直整列して配置させる傾斜部分又は水平部分を含む。
2020514030.tif 000002
【特許請求の範囲】
【請求項１】
複数の流体が物質移動カラム内を流れるときの前記流体間の相互作用を促進するために、前記物質移動カラムで使用するためのトレーであって、
上面を有するトレーデッキと、
前記トレーデッキの前記上面上へ下向きに流れる液体を受容するための前記トレーデッキ上の入口領域と、
流体が前記トレーデッキを通って上向きに通過するように前記トレーデッキの領域にわたって分布しかつ前記トレーデッキを貫通する複数の開口であって、前記流体が前記入口領域を出て、前記開口が上に分布している前記トレーデッキの前記領域の上方にわたって流れた後に、前記流体と前記液体との相互作用を可能にする、複数の開口と、
液体が前記入口領域から流れ、前記領域内の前記開口を上向きに通過する前記流体と相互作用した後に、前記液体を前記トレーデッキの前記上面から除去することを可能にするように前記トレーデッキの前記入口領域から離れて配置された出口と、
前記トレーデッキの前記上面から上向きに延在し、前記液体が前記入口領域から前記出口に流れるときに前記液体の流路の幅を狭め、かつ前記液体の流れる方向を少なくとも３回変化させ、それによって前記流路を延長するように配置された複数の離間したバッフル壁と、
前記出口から下向きに延在して、液体が前記出口に入ったときに前記液体を受容し、次いで、前記液体を下端に位置する排出口へと下向きに搬送するダウンカマー、
を有し、
前記ダウンカマーは、前記排出口を、前記トレーデッキ上の前記入口領域の下で前記入口領域と垂直整列して配置させる傾斜部分又は水平部分を含む、トレー。
【請求項２】
前記複数の離間したバッフル壁が、前記バッフル壁のうちの３つを含む、請求項１に記載のトレー。
【請求項３】
前記流路が、蛇行流路である、請求項２に記載のトレー。
【請求項４】
前記開口によって部分的に形成されたバルブを含む、請求項３に記載のトレー。
【請求項５】
前記バルブが、前記開口を通る流体の上向きの流れによって加えられた力に応じて上下に浮動することができるバルブカバーを含む、請求項４に記載のトレー。
【請求項６】
前記ダウンカマーが、パイプセグメントによって形成されている、請求項１に記載のトレー。
【請求項７】
前記ダウンカマーが、前記複数の離間したバッフル壁のうちの１つ以上を通って延在する、請求項６に記載のトレー。
【請求項８】
シェルと、前記シェル内の開放内部領域と、前記開放内部領域の断面内で、かつ前記開放内部領域の断面にわたって延在する垂直に離間した関係で配置された請求項１に記載の複数のトレーと、を含む、物質移動カラムであって、前記トレーデッキの前記入口領域が垂直整列しており、前記トレーデッキ上の前記出口も垂直整列しており、前記流路が、前記トレーの各々の上で同じ方向にある蛇行流路である、物質移動カラム。
【請求項９】
前記複数の離間したバッフル壁が、前記バッフル壁のうちの３つを含む、請求項８に記載の物質移動カラム。
【請求項１０】
前記バッフル壁の各々が、前記シェルの一方の側に当接する端部と、前記シェルの反対側から予め選択された距離だけ離間した反対側の端部と、を有する、請求項９に記載の物質移動カラム。
【請求項１１】
前記開口によって部分的に形成されたバルブを含む、請求項９に記載の物質移動カラム。
【請求項１２】
前記バルブが、前記開口を通る流体の上向きの流れによって加えられた力に応じて上下に浮動することができるバルブカバーを含む、請求項１１に記載の物質移動カラム。
【請求項１３】
前記ダウンカマーが、パイプセグメントによって形成されている、請求項８に記載の物質移動カラム。
【請求項１４】
前記バッフル壁が、隣接する重なったトレーデッキの下面まで上向きに延在する、請求項１３に記載の物質移動カラム。
【請求項１５】
物質移動カラム内で垂直に離間した関係で配置され、前記物質移動カラムのシェルによって形成された開放内部領域の断面にわたって延在するトレーのトレーデッキの上面上、かつ前記上面の上方で流体を相互作用させる方法であって、
前記トレーの各々の上でトレーデッキの入口領域上に液体を送達し、前記トレーデッキの前記上面に沿ってかつ前記上面の上方で、前記トレーデッキの各々の上面から上向きに延在する複数のバッフル壁によって部分的に画定された蛇行流路に沿って、前記液体が流れるようにする工程であって、前記液体が、前記トレーデッキの前記上面に沿ってかつ前記上面の上方で、前記蛇行流路に沿って、流路幅１フィート当たり２５ｇｐｍ未満の速度で流れる、工程と、
蒸気を前記トレーデッキ内の複数の開口を通して上昇させて、前記液体がその蛇行流路に沿って流れるときに前記液体と相互作用させる工程と、
前記トレーデッキ内の出口を通して、かつダウンカマー内へと前記液体を方向付けることによって、前記液体の蛇行流路の端部で前記トレーデッキから前記液体を除去する工程と、
次いで、前記ダウンカマーから、前記トレーのうちの隣接する重なったトレーの前記入口領域上に前記液体を排出する工程と、を含む、方法。
【請求項１６】
前記液体が、前記トレーデッキの前記上面に沿って、かつ前記上面の上方で、前記流路に沿って、流路幅１フィート当たり１０ｇｐｍ未満の速度で流れる、請求項１５に記載の方法。
【請求項１７】
前記トレーのうちの隣接するトレー上の前記蛇行流路に沿って同じ方向に前記液体を流すことを含む、請求項１５に記載の方法。
【請求項１８】
各トレーデッキの前記上面上の前記バッフル壁のうちの３つの周囲に前記液体を流すことを含む、請求項１７に記載の方法。
【請求項１９】
隣接する重なったトレーデッキの下面まで前記バッフル壁を上向きに延在させ、前記バッフル壁を前記隣接する重なったトレーデッキに取り付けることによって、前記トレーデッキのうちの隣接するトレーデッキ間の間隔を維持することを含む、請求項１５に記載の方法。
【請求項２０】
前記液体が、前記トレーデッキの前記上面に沿ってかつ前記上面の上方で、前記流路に沿って、流路幅１フィート当たり１０ｇｐｍ未満の速度で流れる、請求項１９に記載の方法。
【発明の詳細な説明】
【背景技術】
【０００１】
本発明は、一般に、物質移動及び熱交換が生じるカラムに関し、より具体的には、カラム内を流れる流体流間の相互作用を容易にするためにそのようなカラムで使用する接触トレー並びに物質移動及び／又は熱交換用の接触トレーの使用方法に関する。
【０００２】
物質移動カラムは、特定の組成物及び／又は温度の製品流を提供するために、少なくとも２つの流入流体流に接触するように構成される。本明細書で使用するとき、用語「物質移動カラム」は、物質及び／又は熱の移動が主目的であるカラムを包含することを意図する。多成分蒸留及び吸収用途で利用されるものなど、気相流を液相流に接触させる物質移動カラムがあるが、抽出カラムなど、異なる密度の２つの液相間の接触を促進するように設計される他の物質移動カラムもあり得る。多くの場合、物質移動カラムは、通常、カラム内に配置された複数のトレー又は他の物質移動表面に沿って、上昇蒸気流又は上昇液体流を下降液体流に接触させるように構成される。
【０００３】
種々のタイプのトレーは一般に、上昇流体流と下向きに流れる流体流との間での所望の接触及び物質移動を推進するために物質移動カラムにおいて使用される。各トレーは通常、実質的にカラムの水平断面全体にわたって水平に延在し、円形カラムの壁の内面又はシェルに溶接された支持輪によってその周囲の周りで支持される。いくつかのトレーは、隣接するトレーの間の一定の垂直線間距離を有するこの方式で配置される。トレーは、カラムで行われる多段階過程の１つの部分を実行するためにカラムの一部のみに位置してもよい。あるいは、トレーは、カラムの実質的に垂直高さ全体に沿って配置されてもよい。
【０００４】
上記のタイプのトレーは、液体が１つのトレーから隣接するより下のトレーに下降するための通路を設けるためにトレーデッキ内の出口開口に配置された１つ以上のダウンカマーを含む。ダウンカマーに入る前に、トレーデッキ上の液体は、トレーデッキの選択された部分に設けられた開口を通過する上昇蒸気と相互作用し、次いで、トレーデッキ上の出口開口内に出口堰を越えて流れる。蒸気開口を含むトレーデッキのそれらの領域は一般に、蒸気及び液体の混合、並びにトレーのそれらの領域の上で発生する泡立ちを理由に「活性化」領域と称される。
【０００５】
液体流路幅１フィート当たり２５米ガロン／分未満の速度（流路幅１フィート当たり２５ｇｐｍ）などの低液体流量下では、トレーの活性領域にわたって流れる液体のかなりの部分が、上昇蒸気内の液滴として同伴し、重なったトレーへの蒸気と共に運ばれ得る。より小さい同伴液滴は、重なったトレーデッキ内の蒸気開口を通って蒸気と共に運ばれ得て、一方で、より大きな液滴は、重なったトレーデッキの下面に対して衝突し、フィルムを形成し得る。次いで、フィルムの一部は、重なったトレー内の蒸気開口を通る蒸気によって運ばれ得る。この同伴液体は、蒸気開口を通って蒸気によって運ばれることから、蒸気流のために利用可能な断面積を制限し、トレー全体の圧力低下を増加させる。同伴液体はまた、下部トレー上の蒸気との所望の相互作用から逃れて、動作効率を低下させる。
【発明の概要】
【発明が解決しようとする課題】
【０００６】
したがって、低液体流量中の上昇蒸気中の液体の同伴を低減する改善されたトレーが必要とされている。
【課題を解決するための手段】
【０００７】
一態様では、本発明は、物質移動カラム内を流れるときの流体間の相互作用を促進するために、物質移動カラムで使用するためのトレーを対象とする。トレーは、上面を有するトレーデッキと、トレーデッキの上面上に液体の下向きの流れを受容するためのトレーデッキ上の入口領域と、トレーデッキの領域にわたって分布しかつトレーデッキを通って延在する複数の開口であって、流体が入口領域を出て、開口が上に分布しているトレーデッキの領域にわたって、かつトレーデッキの領域の上方で流れた後に、液体との相互作用のためにトレーデッキを通って流体が上向きに通過することを可能にする、複数の開口と、トレーデッキの入口領域から離れて配置された出口であって、液体が入口領域から流れ、領域内の開口を上向きに通過する流体と相互作用した後に、液体をトレーデッキの上面から除去することを可能にする、出口と、トレーデッキの上面から上向きに延在し、液体が入口領域から出口に流れるときの液体の流路の幅を狭めるように、かつ液体にその流れ方向を少なくとも２回変化させ、それによって上記流路を延長するように配置された複数のバッフル壁と、出口から下向きに延在するダウンカマーであって、液体が出口に入ったときに液体を受容し、次いで、液体をダウンカマーの下端に位置する排出口へと下向きに搬送する、ダウンカマーと、を含む。ダウンカマーは、排出口を、トレーデッキ上の入口領域の下に、かつトレーデッキ上の入口領域と垂直整列して配置させる傾斜部分又は水平部分を含む。
【０００８】
別の態様では、本発明は、シェルと、シェル内の開放内部領域と、カラムの開放内部領域の断面内で、かつその断面にわたって延在する垂直に離間した関係で配置された上記の複数のトレーと、を含む物質移動カラムを対象とする。
【０００９】
更なる態様では、本発明は、物質移動カラム内で垂直に離間した関係で配置され、物質移動カラムのシェルによって形成された開放内部領域の断面にわたって延在するトレーのトレーデッキの上面上で、かつその上面の上方で流体を相互作用させる方法を対象とする。本方法は、トレーの各々の上でトレーデッキの入口領域上に液体を送達し、トレーデッキの上面に沿ってかつその上面の上方で、トレーデッキの各々の上面から上向きに延在する複数のバッフル壁によって部分的に画定された蛇行流路に沿って、その液体が流れるようにする工程であって、その液体が、トレーデッキの上面に沿ってかつその上面の上方で、蛇行流路に沿って、流路幅１フィート当たり２５ｇｐｍ未満の速度で流れる、工程と、蒸気をトレーデッキ内の複数の開口を通して上昇させて、液体がその蛇行流路に沿って流れるときに液体と相互作用させる工程と、トレーデッキ内の出口を通して、かつダウンカマー内へと液体を方向付けることによって、液体の蛇行流路の端部でトレーデッキから液体を除去する工程と、次いで、ダウンカマーから、トレーのうちの隣接する重なったトレーの入口領域上に液体を排出する工程と、を含む。
【図面の簡単な説明】
【００１０】
添付の図面は、明細書の一部を形成し、種々の図において同一の構成要素を示すために同一の参照符号が使用される。
【００１１】
【図１】物質移動及び／又は熱交換が発生することが意図され、本発明のトレーの一実施形態を示すためにカラムのシェルの一部が切り取られた、カラムの断片的な斜視図である。
【図２】図１に示す左端の視点から得られたカラムの一部分の拡大部分図である。
【図３】図２と類似するが右端の視点から得られた拡大部分図。
【図４】図１〜図３に示すトレーのうちの１つを示すカラムの平面図である。
【図５】図１と類似するが、本発明のトレーの第２の実施形態を示すカラムの部分斜視図である。
【図６】図５に示すカラムであるが異なる視点から得られた図である。
【図７】図５及び図６に示すトレーのうちの１つを示すカラムの平面図である。
【発明を実施するための形態】
【００１２】
次に図面をより詳しく、最初に図１を参照すると、物質移動又は熱交換プロセスに使用するために好適な物質移動カラムは、全体にわたって番号１０で示す。カラム１０は、多角形を含む他の形状が可能であり、本発明の範囲内であるが、概ね円筒形の形状とすることができる直立の外部シェル１２を含む。シェル１２は、任意の好適な直径及び高さのシェルであってもよく、不活性であることが望ましいか、又はそうでなければカラム１０の稼働中に存在する流体及び条件と適合性がある１つ以上の硬質材料で構成されてもよい。
【００１３】
カラム１０は、分留製品を得るために又は流体流間で物質移動若しくは熱交換を他の方法で引き起こすために、流体流、典型的には液体流又は蒸気流の処理に使用されるタイプのものである。例えば、カラム１０は、粗大気（crude atmospheric）、ルブ真空（lube vacuum）、粗真空（crude vacuum）、流体若しくは熱分解分留、コーカー若しくはビスブレーカー分留、コークススクラビング、反応器オフガススクラビング、ガス急冷、食用油脱臭、汚染防止スクラビング、又は他のプロセスがその内部で生じるものであってもよい。
【００１４】
カラム１０のシェル１２は、流体流間で望ましい物質移動又は熱交換が発生する開放内部領域１４を画定する。一実施態様では、流体流は、１つ以上の上昇蒸気流及び１つ以上の下降液体流を含んでもよい。他の実施態様では、流体流は、上昇若しくは下降液体流又は上昇若しくは下降蒸気流の任意の組み合わせを実質的に含んでもよい。
【００１５】
１つ以上の流体流は、カラム１０の高さに沿って適切な位置に配置された、下部フィードライン１６ａ又は上部フィードライン１６ｂなどの任意の数のフィードライン１６を通ってカラム１０に方向付けられてもよい。一実施態様では、蒸気流は、フィードライン１６ａ、１６ｂを通ってカラム１０に取り入れられるのではなく、カラム１０内部で生成されてもよい。１つ以上の流体流は、下部テイクオフライン１８ａ及び上部テイクオフライン１８ｂなどの任意の数のテイクオフライン１８を通ってカラム１０の外に方向付けられてもよい。一実施態様では、液体は、上部フィードライン１６ｂを通って取り入れられ、カラム１０を通って下降し、下部テイクオフライン１８ａを通って取り除かれてもよく、蒸気は、下部フィードライン１６ａを通って取り入れられ、カラム１０を通って上昇し、上部テイクオフライン１８ｂを通って取り除かれてもよい。
【００１６】
例えば、還流ライン、リボイラー、コンデンサー、蒸気ホーン、及び液体分配器などの典型的に存在する他のカラム構成要素は、従来本質的なものであり、これらの構成要素の図が本発明の理解のために必要であるとは考えられないため、図面に例示されていない。
【００１７】
更に図２〜図４を参照すると、複数の接触トレー２０は、開放内部領域１４内を流れる流体の相互作用を促進するために、カラム１０の開放内部領域１４内で垂直に離間した関係で配置される。トレー２０は、概ね同じ又は類似の構造であり、カラム１０の横断面全体にわたって概ね水平に延在する。図示した実施形態において隣接するトレー２０は、中心の垂直軸の周りに互いに１８０度回転されている。
【００１８】
各トレー２０は、以下により詳細に記載されるように、流体が沿うように流れる上面２４を有する、概ね平面のトレーデッキ２２を有する。トレーデッキ２２は、通常、シェル１２内のマンウェイ（図示せず）を通って各々が嵌合するようにサイズ決めされた、相互接続されたトレーパネルから形成される。入口領域２６は、トレーデッキ２２の上面２４上に、重なったトレー２０から、は液体分配器（図示せず）からなどの、液体の下向きの流れを受容するためにトレーデッキ上に配置される。複数の開口２８は、活性領域として知られる、トレーデッキ２２の領域にわたって分布する。開口２８は、トレーデッキ２２を完全に通って延在しており、入口領域２６を出て、開口２８が分布したトレーデッキ２２の活性領域にわたってかつその活性領域の上方で流れた後の液体との相互作用のために流体がトレーデッキ２２を上向きに通過できるようにする。開口２８は、単純な篩穴であってもよく、又は固定バルブ若しくは可動バルブの一部を形成してもよい。図示した実施形態において、図４で最も良くわかるように、開口２８は、開口２８を通って、蒸気などの流体の上向きの流れによって加えられた力に応じて上下に浮動することができるバルブカバー３２を有するバルブ３０の一部を形成する。図４では、バルブカバー３２のうちの１つを取り外して、バルブ３０に関連付けられた開口２８を示す。別の実施形態では、バルブカバーは、トレーデッキに固定されてもよく、これにより、上下に浮動することができない。
【００１９】
各トレー２０は、トレーデッキ２２内で入口領域２６から離れて配置された出口３４を更に含み、これは、液体が入口領域２６から流れ、トレーデッキ２２の活性領域内の開口２８を上向きに通過する流体と相互作用した後に、液体をトレーデッキ２２の上面２４から除去することを可能にする。開口２８又はバルブ３０を通って上昇する蒸気とトレーデッキ２２の上面２４に沿って流れる液体との間の相互作用は、通常、トレーデッキ２２の上方で泡又はスプレーを生成する。各トレー２０はまた、出口３４から下向きに延在して、液体が出口３４に入ったときに液体を受容するダウンカマー３６を含む。次いで、ダウンカマー３６は、液体を、下側に隣接するトレー２０の入口領域２６上に排出するために、又は最も下側のトレー２０の場合には、液体コレクタ（図示せず）若しくは他の内部装置へと排出するために、下向きに搬送する。
【００２０】
図４で最も良くわかるように、一実施形態において、入口領域２６及び出口３４は、トレーデッキ２２の両端で互いに対角線上に位置する。入口領域２６及び出口３４は各々、トレー２０上の液体の設計された体積流量に対応するようにサイズ決めされる。図示した実施形態において、入口領域２６及び出口３４は各々、トレーデッキ２２の両端で弦領域の副セグメントのみを占める。他の実施形態において、入口領域２６及び出口３４は各々、トレーデッキ２２の両端で弦領域の全てを含む主セグメントを占めてもよい。
【００２１】
各トレー２０は、トレーデッキ２２の上面２４から上向きに延在しかつ入口領域２６から出口３４へとトレーデッキ２２の上及び上方で流れるときの液体の流路の幅を低減するようにして、並びに液体を、その流れ方向を２回反転させることなどにより、その流れ方向を少なくとも２回変化させてその流路を長くするようにして、配置された複数のバッフル壁３８を含む。このように流路を構造化することにより、バッフル壁３８は、液体流を濃縮し、トレーデッキ２２の活性領域の任意の部分上及びその上方に存在する液体及び液体ヘッドの体積流量を増加させる。液体の体積流量のこの増加は、トレーデッキ２２の開口２８を通って上昇する蒸気内で液体が同伴される機会を低減し、低液体流束又は流量条件下、特に、流路幅１フィート当たり２５ｇｐｍ未満、又は流路幅１フィート当たり１０ｇｐｍ未満の液体流量下で、トレー２０の効率を高める。
【００２２】
一実施形態において、図１〜図４に示されるように、バッフル壁３８のうちの第１のバッフル壁及び第２のバッフル壁が使用され、離間した関係で配置される。図示した実施形態において、第１及び第２のバッフル壁３８は、互いに平行な関係で配置され、トレーデッキ２２を略等しい面積の３つのセグメントに分割する。第１のバッフル壁３８の一端部は、シェル１２の一方の側に当接し、第１のバッフル壁３８の反対側の端部は、シェル１２の反対側から予め選択された距離だけ離間している。予め選択された距離は、通常、液体が第１のバッフル壁３８の端部を周るときのトレーデッキ２２上の流路の幅が第１のバッフル壁３８の両側の流路の幅と略同じであるように選択される。第２のバッフル壁３８は、第１のバッフル壁３８と反対側に配置される。すなわち、第２のバッフル壁３８の一端部は、第１のバッフル壁３８が当接するシェル１２の側から予め選択された距離だけ離間し、第２のバッフル壁３８の反対側の端部は、第１のバッフル壁３８が予め選択された距離だけ離間しているシェル１２の反対側に当接する。このようにバッフル壁３８を配置することによって、入口領域２６から出口３４までトレーデッキ２２上を流れるときの液体に対して蛇行流路を形成する。バッフル壁３８が、弦ダウンカマー、壁セグメント（図示せず）、又は部分的な弦プレート（図示せず）を有する既存のトレー２０の改良内に設置される状況では、液体流路の所望の端部を除いて、ダウンカマーへの液体の進入を遮断するように使用してもよい。
【００２３】
バッフル壁３８は各々、バッフル壁３８のうちの一方の側に沿ってトレーデッキ２２の上及び上方で流れる液体泡及びスプレーの大部分を案内するのに十分な高さを有し、それがバッフル壁３８の端部に到達すると、任意の泡及びスプレーを含む液体を、バッフル壁３８の反対側に沿って向き及び流れが逆になるようにさせる。一例として、バッフル壁３８の高さは、それが配置されているトレーデッキデッキ２２の上面２４と、隣接する重なったトレーデッキ２２の下面との間の垂直間隔の少なくとも５０％であってもよい。別の例として、バッフル壁３８の高さは、トレーデッキ２２間のそのような垂直間隔の少なくとも７５％である。更なる例として、バッフル壁３８の高さは、バッフル壁３８が、隣接する重なったトレーデッキ２２の下面まで上向きに延在するように、垂直間隔の１００％である。この例では、バッフル壁３８は、隣接するトレーデッキ２２間の所望の間隔を維持し、トレー２０のより剛性のアセンブリを提供するために、重なったトレーデッキ２２に取り付けられてもよい。
【００２４】
追加のバッフル壁３８を使用して、トレーデッキ２２上の液体の流路を更に長くし、流路の幅を小さくしてもよいことを理解されたい。この流路の狭小化は、トレーデッキ２２の活性領域の任意の部分における液体の体積流量を増加させる。例えば、図５〜図７に示されるように、バッフル壁３８のうちの第３のバッフル壁は、バッフル壁３８のうちの第１及び第２のバッフル壁に対して離間した関係で配置されて、液体が入口領域２６から出口３４に流れるときに、その方向を３回変化させてもよい。第３のバッフル壁３８及び任意の奇数のバッフル壁３８を使用することは、トレー２０上の入口領域２６が垂直整列にありかつ出口３４もトレー２０上で垂直整列にある状態で、入口領域２６及び出口３４がトレーデッキ２２の同じ端部に位置することを可能にする点で特に有利である。入口領域２６及び出口３４がこのように垂直に整列されるとき、液体の蛇行流は、図１〜図４に示されるトレーの実施形態において反対方向ではなく、各トレー上で同じ方向であってもよい。これにより、液体が１つのトレー２０から次のトレーへと連続的に下降するときにコックスクリュー型流路が形成される。この蛇行流が連続するトレー２０の各々の上で同じ方向にある結果として、トレー２０の効率を高めることができる。
【００２５】
１つのトレー２０上の出口３４から次の下部トレー２０上の入口領域２６に液体を送達するために、パイプセグメントから形成されるようなダウンカマー４０は、出口３４から下向きに延在し、ダウンカマー４０の排出口４４を下側のトレー２０のトレーデッキ２２上の入口領域２６と垂直整列して配置させる傾斜部分又は水平部分４２を含む。ダウンカマー４０は、下側のトレーデッキ２２上のバッフル壁３８のうちの１つ以上を通って延在して、この共通の方向の又は螺旋の流れを達成する必要があり得る。
【００２６】
本発明はまた、トレー２０が物質移動カラム１０内で垂直に離間した関係で配置されて物質移動カラム１０のシェル１２によって形成された開放内部領域１４の断面にわたって延在する場合のトレー２０のトレーデッキ２２の上面２４の上で及び上方で流体を相互作用させる方法を対象とする。この方法は、トレー２０の各々の入口領域２６上に液体を送達し、第１のバッフル壁３８の一方の側に一方向に配向され、次いで、第１のバッフル壁の反対側で別の方向に配向され、次いで出口３４で終端する流路に沿ってトレーデッキの上面２４に沿ってかつその上方で液体が流れることを可能にする工程を含む。蒸気は、開口２８又はバルブ３０（存在する場合）を通って、トレーデッキ２２内で上昇させられて、その流路に沿って流れる際に液体と相互作用する。液体は、出口３４を通ってダウンカマー３６又は４０へと方向付けられることによって、その流路の端部でトレーデッキ２２から除去される。次いで、液体は、ダウンカマー３６又は４０から、トレー２０のうちの下側に隣接するトレーの入口領域２６上に排出される。一実施形態において、トレー２０の各々の入口領域２６上に送達される液体の量は、液体の流路に沿ってトレーデッキ２２の上面２４に沿ってかつその上方で、流路幅１フィート当たり２５ｇｐｍ未満の流量で流れるようになっている。別の実施形態において、液体流量は、流路幅１フィート当たり１０ｇｐｍ未満である。
【００２７】
本方法はまた、トレーデッキ２２の上面２４から上向きに延在してかつ液体流路が蛇行流路であるように配置される、バッフル壁３８のうちの追加のバッフル壁の周囲に液体を流すことも含む。一実施形態において、液体は、トレー２０のうちの隣接するトレー上の蛇行流路に沿って反対方向に流れる。別の実施形態において、液体は、トレー２０上の蛇行流路に沿って同じ方向に流れる。
【００２８】
以上により、本発明は、その構造に対して固有である他の利点と共に上記目的及び目標を全て実現するようによく適合された発明であることがわかるであろう。
【００２９】
特定の機能及びサブコンビネーションは有用なものであり、他の機能及びサブコンビネーションに関係なく使用され得ることが理解されるだろう。これは本発明の範囲によって想到されるものであり、本発明の範囲内である。
【００３０】
本発明の範囲から逸脱することなく多くの考えられる実施形態が本発明から作られてよいため、本明細書に記載された又は添付図面に示された全ての事項は実例として解釈されるべきで、限定する趣旨ではないことが理解されるべきである。
【図１】
2020514030.tif 000003
【図２】
2020514030.tif 000004
【図３】
2020514030.tif 000005
【図４】
2020514030.tif 000006
【図５】
2020514030.tif 000007
【図６】
2020514030.tif 000008
【図７】
2020514030.tif 000009
【国際調査報告】
2020514030.tif 000010
2020514030.tif 000011
2020514030.tif 000012